(57)【要約】【課題】ハウジング内とインバータの収容空間との間のシール性を高めること。【解決手段】密封端子５１を、ボルト４２の挿通孔４２ａに金属端子４３を挿通するとともに、ボルト４２と金属端子４３との間を第１及び第２絶縁部材４４，４５で絶縁するように形成した。そして、底壁１２ａにガスケット４８を配設した状態で、密封端子５１のボルト４２を雌ねじ孔４１に対して螺進させるのに伴い、頭部４２２によりガスケット４８が底壁１２ａに向けて押圧されて弾性変形した状態で底壁１２ａと頭部４２２との間に挟持される。【選択図】図１
2012107565.tif 000002
【特許請求の範囲】
【請求項１】
ハウジング内に圧縮部及び電動モータが収納されるとともに、前記電動モータを駆動させるためのインバータが、隔壁により前記ハウジング内と隔離された収容空間に配設され、さらに、前記電動モータと前記インバータとを電気的に接続する密封端子を有する電動圧縮機であって、
前記密封端子は、前記隔壁に形成された雌ねじ孔に螺合可能なボルトを有するとともに、前記ボルトには前記電動モータと前記インバータとを電気的に接続する導電部材が挿通可能な挿通孔が形成され、さらに、前記ボルトと前記導電部材とは絶縁部材によって絶縁されており、
前記隔壁と前記ボルトの頭部との間には、前記ハウジング内と前記収容空間との間をシールするシール部材が配設されるとともに、前記ボルトが前記雌ねじ孔に対して螺進されることに伴い前記ボルトの頭部が前記シール部材を前記隔壁に向けて押圧することで、前記シール部材が前記隔壁と前記頭部との間で挟持されていることを特徴とする電動圧縮機。
【請求項２】
前記隔壁には前記雌ねじ孔が複数形成されるとともに、各雌ねじ孔に前記密封端子が固定され、
前記シール部材には、各雌ねじ孔に対応した位置に挿通孔が形成されていることを特徴とする請求項１に記載の電動圧縮機。
【発明の詳細な説明】
【技術分野】
【０００１】
本発明は、電動圧縮機に関する。
【背景技術】
【０００２】
電動圧縮機は、冷媒を圧縮して吐出する圧縮部と、圧縮部を駆動させる電動モータとを収納するハウジングを有するとともに、ハウジングの一端壁（隔壁）には、一面が開口された箱状のインバータカバーが固設されている。そして、このハウジングの一端壁により、ハウジング内とインバータカバー内（収容空間）とが区画されている。収容空間には電動モータを駆動させるためのインバータが収容されるとともに、電動モータとインバータとは、密封端子を介して電気的に接続される。この密封端子は、ハウジングの一端壁に形成された貫通孔に嵌め込まれるとともに、電動モータとインバータとを電気的に接続する導電部材と一端壁との間の絶縁を確保しつつシールする絶縁部材を有する。このような密封端子を用いた電動圧縮機として、例えば特許文献１が挙げられる。
【０００３】
図３に示すように、特許文献１の電動圧縮機において、吸入ハウジング８１の仕切壁８２（隔壁）には、吸入ハウジング８１外に突出する突出部８３が形成されている。突出部８３及び仕切壁８２には、吸入ハウジング８１内と吸入ハウジング８１外とを連通させる貫通孔８４が形成されている。貫通孔８４は、突出部８３の先端側に形成されたネジ部８４ａと、このネジ部８４ａに連続する孔８４ｂと、この孔８４ｂに連続する孔８４ｃとからなる。孔８４ｂにおける吸入ハウジング８１側には底部８４ｄが設けられるとともに、孔８４ｂには、底部８４ｄ側に向かうにつれて孔径が縮径する傾斜部８４ｅが設けられている。また、孔８４ｃは、電動モータのステータコイルの一端側８５が挿通可能な細孔状に形成されている。
【０００４】
貫通孔８４において、孔８４ｂには栓部材８６（シール部材）が収容されるとともに、この栓部材８６の外径は孔８４ｂの直径よりも若干大きくなっている。また、栓部材８６にはステータコイルの一端側８５が挿通される貫通孔８６ａが形成されている。ネジ部８４ａには、栓部材８６を吸入ハウジング８１側に向けて押し付けるボルト８７が螺合されている。また、ボルト８７には、ステータコイルの一端側８５が挿通される貫通孔８７ａがボルト８７の軸方向に沿うように形成されている。
【０００５】
そして、栓部材８６は、ボルト８７により底部８４ｄに支えられた状態で、栓部材８６が傾斜部８４ｅに密着することで、栓部材８６と貫通孔８４との間がシールされるとともに、栓部材８６により貫通孔８６ａとステータコイルの一端側８５との間が密閉され、貫通孔８６ａとステータコイルの一端側８５との間がシールされている。
【先行技術文献】
【特許文献】
【０００６】
【特許文献１】特開２００９−２０３９０２号公報
【発明の概要】
【発明が解決しようとする課題】
【０００７】
しかしながら、特許文献１の電動圧縮機では、栓部材８６と貫通孔８４との間のシールは、栓部材８６がボルト８７により吸入ハウジング８１側に向けて押圧されたときの栓部材８６の傾斜部８４ｅに向けた弾性変形に基づくものであり、シール性が低い虞がある。
【０００８】
本発明は、上記課題を解決するためになされたものであって、その目的は、ハウジング内とインバータの収容空間との間のシール性を高めることができる電動圧縮機を提供することにある。
【課題を解決するための手段】
【０００９】
上記目的を達成するために、請求項１に記載の発明は、ハウジング内に圧縮部及び電動モータが収納されるとともに、前記電動モータを駆動させるためのインバータが、隔壁により前記ハウジング内と隔離された収容空間に配設され、さらに、前記電動モータと前記インバータとを電気的に接続する密封端子を有する電動圧縮機であって、前記密封端子は、前記隔壁に形成された雌ねじ孔に螺合可能なボルトを有するとともに、前記ボルトには前記電動モータと前記インバータとを電気的に接続する導電部材が挿通可能な挿通孔が形成され、さらに、前記ボルトと前記導電部材とは絶縁部材によって絶縁されており、前記隔壁と前記ボルトの頭部との間には、前記ハウジング内と前記収容空間との間をシールするシール部材が配設されるとともに、前記ボルトが前記雌ねじ孔に対して螺進されることに伴い前記ボルトの頭部が前記シール部材を前記隔壁に向けて押圧することで、前記シール部材が前記隔壁と前記頭部との間で挟持されていることを要旨とする。
【００１０】
この発明によれば、隔壁にシール部材を配設した状態で、密封端子のボルトを雌ねじ孔に対して螺進させるのに伴い、頭部によりシール部材が隔壁に向けて押圧されて弾性変形した状態で隔壁と頭部との間に挟持される。よって、シール部材が隔壁に向けて密着するように押し付けられ、ハウジング内と収容空間との間のシール性を高めることができる。
【００１１】
請求項２に記載の発明は、請求項１に記載の発明において、前記隔壁には前記雌ねじ孔が複数形成されるとともに、各雌ねじ孔に前記密封端子が固定され、前記シール部材には、各雌ねじ孔に対応した位置に挿通孔が形成されていることを要旨とする。
【００１２】
この発明によれば、隔壁における各雌ねじ孔に対応した位置に一つずつシール部材を配設する場合に比べて、一つの部材で各雌ねじ孔に対応する位置でのハウジング内と収容空間との間をシールすることができ、部品点数を削減することができる。
【発明の効果】
【００１３】
この発明によれば、ハウジング内とインバータの収容空間との間のシール性を高めることができる。
【図面の簡単な説明】
【００１４】
【図１】（ａ）は実施形態における電動圧縮機を示す部分縦断面図、（ｂ）は密封端子周辺を拡大した縦断面図。
【図２】密封端子周辺の斜視図。
【図３】従来例の電動圧縮機の栓部材周辺を拡大して示す断面図。
【発明を実施するための形態】
【００１５】
以下、本発明を具体化した一実施形態を図１及び図２にしたがって説明する。
図１（ａ）に示すように、電動圧縮機１０のハウジングは、図１における左側の有蓋筒状の吐出ハウジング１１に有底筒状の吸入ハウジング１２を接合して形成されている。吸入ハウジング１２の周壁底部側（図１右上側）には吸入ポート１３が形成されるとともに、吸入ポート１３は図示しない外部冷媒回路に接続されている。吐出ハウジング１１の蓋側（図１（ａ）の左側）には吐出ポート１４が形成されるとともに、吐出ポート１４は外部冷媒回路に接続されている。吸入ハウジング１２内には、冷媒を圧縮するための圧縮部１５（図１（ａ）において破線で示す）と、圧縮部１５を駆動するための電動モータ１６とが収容されている。なお、本実施形態では、特に図示は省略するが、圧縮部１５は、吸入ハウジング１２内に固定された固定スクロールと、固定スクロールに対向配置された可動スクロールとで構成されている。
【００１６】
吸入ハウジング１２の内周面にはステータ１７（固定子）が固定されるとともに、ステータ１７は、吸入ハウジング１２の内周面に固定されたステータコア１７ａのティース（図示せず）にコイル１７ｂが巻回されて構成されている。また、コイル１７ｂのコイルエンドからはＵ相、Ｖ相、Ｗ相の導電性巻線２０の始端が引き出されるとともに、それぞれ図示しない入力端子に電気的に接続されている。この入力端子からは、Ｕ相、Ｖ相、Ｗ相に対応した３本の配線が延びている。また、吸入ハウジング１２内には、回転軸１９がステータ１７内に挿通された状態で回転可能に支持されるとともに、この回転軸１９には、ロータ１８（回転子）が止着されている。
【００１７】
吸入ハウジング１２の底壁１２ａ（図１（ａ）の右側）には、一面が開口された箱状をなすアルミニウム製のインバータカバー３１が固設されるとともに、底壁１２ａとインバータカバー３１とによって収容空間３１ａが区画されている。よって、吸入ハウジング１２の底壁１２ａは、吸入ハウジング１２内と収容空間３１ａとを区画する隔壁として機能する。そして、吸入ハウジング１２内に対して隔離された収容空間３１ａ内にはインバータ３２（図１（ａ）において二点鎖線で示す）が収容されている。
【００１８】
上記構成の電動圧縮機１０では、インバータ３２によって制御された電力が電動モータ１６に供給されることにより、制御された回転速度でロータ１８と共に回転軸１９が回転するとともに、圧縮部１５が駆動されるようになっている。この圧縮部１５の駆動により、外部冷媒回路から吸入ポート１３を介した吸入ハウジング１２内への冷媒の吸入、吸入ハウジング１２内に吸入された冷媒の圧縮部１５による圧縮、及び圧縮された冷媒の吐出ポート１４を介した外部冷媒回路への吐出が行われるようになっている。
【００１９】
図１（ｂ）に示すように、吸入ハウジング１２の底壁１２ａには、雌ねじ孔４１が３つ形成されている。そして、各雌ねじ孔４１に密封端子５１のボルト４２が収容空間３１ａ側から螺合されることで、密封端子５１が雌ねじ孔４１に固定されている。密封端子５１のボルト４２は、雄ねじ４２ｂが形成された軸部４２１と、軸部４２１の一端部に突設された頭部４２２とからなるとともに、軸部４２１の雄ねじ４２ｂが雌ねじ孔４１に螺合されることで、ボルト４２が雌ねじ孔４１に固定される。
【００２０】
各ボルト４２には、挿通孔４２ａがボルト４２を軸方向に貫通して形成されている。挿通孔４２ａは、頭部４２２側の第１保持部４２１ａと、第１保持部４２１ａよりも内径が小径をなす軸部４２１側の第２保持部４２２ａとからなる。第１保持部４２１ａにはセラミックス製の第１絶縁部材４４が保持されるとともに、第２保持部４２２ａにはガラス製の第２絶縁部材４５が保持されている。
【００２１】
また、第１及び第２絶縁部材４４，４５の内側には導電部材としての棒状の金属端子４３が挿通されるとともに、第１絶縁部材４４により頭部４２２と金属端子４３との間が絶縁され、第２絶縁部材４５により金属端子４３と軸部４２１との間が絶縁されている。よって、第１及び第２絶縁部材４４，４５は、ボルト４２と金属端子４３との間を絶縁する絶縁部材として機能する。金属端子４３は、一端が吸入ハウジング１２内に位置するとともに電動モータ１６側の入力端子に電気的に接続され、他端が収容空間３１ａ内に位置するとともにケーブル３３を介してインバータ３２に電気的に接続されている。
【００２２】
密封端子５１は、第１保持部４２１ａに第１絶縁部材４４を嵌合させて保持するとともに、第１絶縁部材４４の内側に金属端子４３を挿通し、金属端子４３と第２保持部４２２ａとの間にガラス材料を充填して金属端子４３と第２絶縁部材４５とを一体化させることにより、金属端子４３と挿通孔４２ａとの間がシールされてなる。よって、金属端子４３、第１絶縁部材４４、第２絶縁部材４５、及びボルト４２によって、密封端子５１が構成されている。
【００２３】
図２に示すように、吸入ハウジング１２の底壁１２ａ外面には、シール部材として、弾性を有する薄板状のガスケット４８が配設されている。図１（ｂ）に示すように、ガスケット４８には、各ボルト４２を貫通させて雌ねじ孔４１に螺合させる挿通孔４８ａが３つ形成されている。そして、各挿通孔４８ａを貫通して雌ねじ孔４１にボルト４２が螺合されることにより、ガスケット４８における挿通孔４８ａの周縁部は、各頭部４２２により底壁１２ａに押し付けられた状態で、各頭部４２２と吸入ハウジング１２の底壁１２ａとの間に挟持されている。
【００２４】
次に、電動圧縮機１０の作用について説明する。
密封端子５１のボルト４２が底壁１２ａの雌ねじ孔４１に螺合すると、ガスケット４８における挿通孔４８ａの周縁部は、頭部４２２により吸入ハウジング１２の底壁１２ａに向けて押圧される。そして、この頭部４２２による押圧により、ガスケット４８の周縁部は、底壁１２ａに向けて押し付けられながら圧縮していき、底壁１２ａに対して押し付けられる結果、ガスケット４８と底壁１２ａとの間がシールされる。ここで、吸入ハウジング１２内の圧力と収容空間３１ａ内の圧力との差により、吸入ハウジング１２内の冷媒が、各雌ねじ孔４１と各ボルト４２との間を介して収容空間３１ａ側に向けて流れようとする。しかし、本実施形態では、ガスケット４８が底壁１２ａに押し付けられた状態で密着しているため、各雌ねじ孔４１と各ボルト４２との間を介して収容空間３１ａ側に向けて流れようとする冷媒が、ガスケット４８と底壁１２ａとの間から漏れることが抑制される。その結果、冷媒が吸入ハウジング１２内から収容空間３１ａへ浸入することが抑制される。
【００２５】
上記実施形態では以下の効果を得ることができる。
（１）密封端子５１を、ボルト４２の挿通孔４２ａに金属端子４３を挿通するとともに、ボルト４２と金属端子４３との間を第１及び第２絶縁部材４４，４５で絶縁するように形成した。そして、底壁１２ａにガスケット４８を配設した状態で、密封端子５１のボルト４２を雌ねじ孔４１に対して螺進させるのに伴い、頭部４２２によりガスケット４８が底壁１２ａに向けて押圧されて弾性変形した状態で底壁１２ａと頭部４２２との間に挟持される。よって、ガスケット４８が底壁１２ａに向けて密着するように押し付けられ、吸入ハウジング１２内と収容空間３１ａとの間のシール性を高めることができる。
【００２６】
（２）ガスケット４８には各雌ねじ孔４１に対応した位置に挿通孔４８ａが形成されている。よって、底壁１２ａにおける各雌ねじ孔４１に対応した位置に一つずつシール部材を配設する場合に比べて、一つの部材で各雌ねじ孔４１に対応する位置での吸入ハウジング１２内と収容空間３１ａとの間をシールすることができ、部品点数を削減することができる。
【００２７】
（３）各雌ねじ孔４１にはボルト４２が螺合されている。そして、吸入ハウジング１２の底壁１２ａにガスケット４８を配設した状態で、各雌ねじ孔４１に対して各ボルト４２を螺進させると、各頭部４２２がガスケット４８を押圧し始める。このガスケット４８に対する各頭部４２２の押圧により、ボルト４２を雌ねじ孔４１に対して螺進する作業に負荷が生じるため、この負荷に応じて雌ねじ孔４１に対してボルト４２を締め込む締め代を調節することができる。その結果、ガスケット４８により吸入ハウジング１２内と収容空間３１ａとの間が確実にシールされているか否かを確認することができる。
【００２８】
（４）各雌ねじ孔４１に密封端子５１のボルト４２が螺合可能になっている。よって、金属端子４３、第１絶縁部材４４、第２絶縁部材４５、及びボルト４２によって構成された密封端子５１は、ボルト４２を雌ねじ孔４１に螺合させることで雌ねじ孔４１に対して固定することができる。したがって、密封端子５１が雌ねじ孔４１から抜け落ちないように、例えばサークリップを用いて抜け止めする必要がなく、部品点数を削減することができる。
【００２９】
（５）金属端子４３とボルト４２の挿通孔４２ａとの間は、セラミックス製の第１絶縁部材４４及びガラス製の第２絶縁部材４５によりシール及び絶縁されている。セラミックス及びガラスは耐熱性を有するため、第１及び第２絶縁部材４４，４５が金属端子４３からの発熱により劣化することが防止され、金属端子４３と挿通孔４２ａとの間のシール性を良好なものとすることができる。
【００３０】
（６）金属端子４３とボルト４２の挿通孔４２ａとの間にガラス製の第２絶縁部材４５が充填されることで、第２絶縁部材４５と金属端子４３とが一体化されている。よって、吸入ハウジング１２内の圧力が金属端子４３にかかったとしても、金属端子４３が吸入ハウジング１２内の圧力により第２絶縁部材４５から抜け難くすることができる。
【００３１】
なお、上記実施形態は以下のように変更してもよい。
○  実施形態において、底壁１２ａにおける各雌ねじ孔４１に対応した位置に一つずつシール部材を配設してもよい。
【００３２】
○  実施形態において、軸部４２１にガスケット４８が予め一体的に取り付けられていてもよい。
○  実施形態において、第１絶縁部材４４と第２絶縁部材４５とを一つの部材にしてもよい。この場合、材質は、ガラスやセラミックス、又はその他の絶縁材料であってもよく、絶縁部材の材質は絶縁性を有するものであれば、特に限定されるものではない。
【００３３】
○  実施形態において、挿通孔４２ａの内側にコイルエンドから引き出されるＵ相、Ｖ相、Ｗ相の導電性巻線２０が挿通されていてもよい。この場合、各導電性巻線２０が導電部材として機能する。
【００３４】
○  実施形態において、ボルト４２を雌ねじ孔４１に対して吸入ハウジング１２側から螺進することで、密封端子５１を雌ねじ孔４１に対して固定するようにしてもよい。
○  実施形態において、圧縮部１５は、固定スクロールと可動スクロールとで構成されるタイプに限らず、例えば、ピストンタイプやベーンタイプなどであってもよい。
【００３５】
次に、上記実施形態及び別例から把握できる技術的思想について以下に追記する。
（イ）前記導電部材は棒状の金属端子であることを特徴とする請求項１又は請求項２に記載の電動圧縮機。
【００３６】
（ロ）ハウジング内に収納されるとともに圧縮部を駆動させるための電動モータと、隔壁により前記ハウジング内と隔離された収容空間に配設されるとともに前記電動モータを駆動させるためのインバータとを電気的に接続するために用いられる密封端子であって、前記隔壁に形成された雌ねじ孔に螺合可能なボルトと、前記電動モータと前記インバータとを電気的に接続する導電部材と、前記ボルトと前記導電部材とを絶縁する絶縁部材と、前記隔壁と前記ボルトの頭部との間に配設されるとともに前記ハウジング内と前記収容空間との間をシールするシール部材とからなることを特徴とする密封端子。
【符号の説明】
【００３７】
１０…電動圧縮機、１１…ハウジングを形成する吐出ハウジング、１２…ハウジングを形成する吸入ハウジング、１２ａ…隔壁として機能する底壁、１５…圧縮部、１６…電動モータ、３１ａ…収容空間、３２…インバータ、４１…雌ねじ孔、４２…ボルト、４２ａ…挿通孔、４２２…頭部、４３…導電部材としての金属端子、４４…絶縁部材としての第１絶縁部材、４５…絶縁部材としての第２絶縁部材、４８…シール部材としてのガスケット、４８ａ…挿通孔、５１…密封端子。
【図１】
2012107565.tif 000003
【図２】
2012107565.tif 000004
【図３】
2012107565.tif 000005